(57)【要約】【課題】非標的組織への熱伝導を確実に遮断して、標的組織のみを選択して効果的に焼灼する。【解決手段】  互いにスライド可能な外筒シャフト２，中筒シャフト３および内筒シャフト４により、カテーテルシャフト１を構成する。外筒シャフト２の先端部２Ａと内筒シャフト４の先端部４Ａとの間に外バルーン５を設置し、中筒シャフト３の先端部３Ａと内筒シャフト４の先端部４Ａとの間に内バルーン６を設置する。外バルーン５は、低熱伝導性の気体で満たされる。内バルーン６の内部に満たされた充填液が、高周波通電用電極１５に電力を供給することで、高周波加温される。外バルーン５は管腔臓器内での位置を保持すると共に内バルーン６の熱伝導を遮断し、内バルーン６の熱エネルギーは外バルーン５との密着部１４を介して標的組織を選択的に焼灼する。【選択図】図１
2013132364.tif 000002
【特許請求の範囲】
【請求項１】
互いにスライド可能な外筒シャフト，中筒シャフトおよび内筒シャフトにより構成されるカテーテルシャフトと、
前記外筒シャフトの先端部と前記内筒シャフトの先端部との間に設置される外バルーンと、
前記中筒シャフトの先端部と前記内筒シャフトの先端部との間に設置され、前記外バルーンの内部に収容される内バルーンと、
前記内バルーンの内部に設置される電極および温度センサーと、
前記中筒シャフトと前記内筒シャフトとの間に形成され、前記内バルーンの内部に通じる送液路と、
前記外筒シャフトと前記中筒シャフトとの間に形成され、前記外バルーンと前記内バルーンとの間に通じる送気路と、
前記温度センサーのリード線を介して前記内バルーンの内部温度を測定しながら、前記電極に電力を供給する高周波発生器と、
前記送液路を介して前記内バルーンの内部に充填液を送る液体注入器と、
前記送液路を介して前記内バルーンの内部に振動波を伝える振動発生器と、
前記送気路を介して前記外バルーンと前記内バルーンとの間にガスを送るガス注入器とを備え、
拡張した前記内バルーンが拡張した前記外バルーンと部分的に密着可能な密着部を形成したことを特徴とするバルーンカテーテル。
【請求項２】
前記内バルーンの先端側の内筒シャフト接続口と基端側の中筒シャフト接続口は、両接続口を結ぶ直線が前記内バルーンの中心線を通るように設けられるが、前記外バルーンの先端側の内筒シャフト接続口と基端側の外筒シャフト接続口は、両接続口を結ぶ直線が前記外バルーンの中心線より一側に偏移するように設けられ、前記一側に前記密着部が形成されることを特徴とする請求項１記載のバルーンカテーテル。
【請求項３】
前記内バルーンの内筒シャフト接続口と中筒シャフト接続口と、前記外バルーンの内筒シャフト接続口と外筒シャフト接続口は、いずれも両接続口を結ぶ直線がバルーンの中心線に一致するように設けられ、内バルーンと外バルーンの形状とカテーテルシャフト上の設置部位を変えることで、前記密着部が形成されることを特徴とする請求項１記載のバルーンカテーテル。
【請求項４】
前記内バルーンおよび前記外バルーンは、弾性に富む耐熱性レジンで構成され、回転体形状をなすことを特徴とする請求項１〜３のいずれか一つに記載のバルーンカテーテル。
【請求項５】
前記内バルーンと前記外バルーンの一部を接着剤で接着する構成としたことを特徴とする請求項１または２記載のバルーンカテーテル。
【請求項６】
前記内バルーンと前記外バルーンの一部を溶融により接合する構成としたことを特徴とする請求項１または２記載のバルーンカテーテル。
【発明の詳細な説明】
【技術分野】
【０００１】
本発明は、管腔臓器に挿入して使用され、病変部などの標的組織を至適な温度で選択的に焼灼する高周波温熱治療用のバルーンカテーテルに関する。
【背景技術】
【０００２】
これまでの高周波ホットのバルーンカテーテルは、内部に高周波通電用電極が設けられたバルーンを備えており、当該電極に高周波を通電することにより、バルーンの内部が加熱され、バルーンの表面温度が上昇して、バルーンと接触する組織を直接焼灼するようになっており、血管，食道や大腸などの管腔臓器に挿入して治療する場合には、バルーンと接触する組織を全周性に焼灼することが一般的であった。しかしこれは、管腔臓器の瘢痕収縮を全周性にきたし、狭窄による機能不全を生じる問題が懸念されていた。
【０００３】
そこで、管腔臓器の病変部のみを選択的に焼灼する方法として、標的組織に接触しないバルーン膜の一部を肥厚させたり、断熱材を貼り付けたりして、非標的組織への熱伝導を遮断する（例えば、本願出願人による特許文献１を参照）ものが、これまでに提案されていた。
【先行技術文献】
【特許文献】
【０００４】
【特許文献１】特許第４７０２７０４号公報
【発明の概要】
【発明が解決しようとする課題】
【０００５】
しかし、上述の方法を採用したバルーンカテーテルでは、バルーンを標的組織に保持することが難しく、また断熱効果も不十分で、標的組織のみを選択して効果的に焼灼することが難しかった。
【０００６】
本発明は上記問題点に着目してなされたもので、非標的組織への熱伝導を確実に遮断して、標的組織のみを選択して効果的に焼灼することが可能なバルーンカテーテルを提供することを目的とする。
【課題を解決するための手段】
【０００７】
請求項１の発明は、上記目的を達成するために、互いにスライド可能な外筒シャフト，中筒シャフトおよび内筒シャフトにより構成されるカテーテルシャフトと、前記外筒シャフトの先端部と前記内筒シャフトの先端部との間に設置される外バルーンと、前記中筒シャフトの先端部と前記内筒シャフトの先端部との間に設置され、前記外バルーンの内部に収容される内バルーンと、前記内バルーンの内部に設置される電極および温度センサーと、前記中筒シャフトと前記内筒シャフトとの間に形成され、前記内バルーンの内部に通じる送液路と、前記外筒シャフトと前記中筒シャフトとの間に形成され、前記外バルーンと前記内バルーンとの間に通じる送気路と、前記温度センサーのリード線を介して前記内バルーンの内部温度を測定しながら、前記電極に電力を供給する高周波発生器と、前記送液路を介して前記内バルーンの内部に充填液を送る液体注入器と、前記送液路を介して前記内バルーンの内部に振動波を伝える振動発生器と、前記送気路を介して前記外バルーンと前記内バルーンとの間にガスを送るガス注入器とを備え、拡張した前記内バルーンが拡張した前記外バルーンと部分的に密着可能な密着部を形成したものである。
【０００８】
請求項２の発明は、請求項１記載のバルーンカテーテルにおいて、前記内バルーンの先端側の内筒シャフト接続口と基端側の中筒シャフト接続口は、両接続口を結ぶ直線が前記内バルーンの中心線を通るように設けられるが、前記外バルーンの先端側の内筒シャフト接続口と基端側の外筒シャフト接続口は、両接続口を結ぶ直線が前記外バルーンの中心線より一側に偏移するように設けられ、前記一側に前記密着部が形成されることを特徴とする。
【０００９】
請求項３の発明は、請求項１記載のバルーンカテーテルにおいて、前記内バルーンの内筒シャフト接続口と中筒シャフト接続口と、前記外バルーンの内筒シャフト接続口と外筒シャフト接続口は、いずれも両接続口を結ぶ直線がバルーンの中心線に一致するように設けられ、内バルーンと外バルーンの形状とカテーテルシャフト上の設置部位を変えることで、前記密着部が形成されることを特徴とする。
【００１０】
請求項４の発明は、請求項１〜３のいずれか一つに記載のバルーンカテーテルにおいて、前記内バルーンおよび前記外バルーンが、弾性に富む耐熱性レジンで構成され、回転体形状をなすことを特徴とする。
【００１１】
請求項５の発明は、請求項１または２記載のバルーンカテーテルにおいて、前記内バルーンと前記外バルーンの一部を接着剤で接着する構成としたことを特徴とする。
【００１２】
請求項６の発明は、請求項１または２記載のバルーンカテーテルにおいて、前記内バルーンと前記外バルーンの一部を溶融により接合する構成としたことを特徴とする。
【発明の効果】
【００１３】
請求項１の発明では、低熱伝導性の気体で満たされる外バルーンと、外バルーンの内側にあって、電極に電力を供給することで、その内部に満たされた充填液が高周波加温される内バルーンとにより、拡張した外バルーンは管腔臓器内での位置を保持すると共に内バルーンの熱伝導を遮断し、内バルーンの熱エネルギーは外バルーンとの密着部を介して標的組織を選択的に焼灼する。これにより、非標的組織への熱伝導を確実に遮断して、標的組織のみを選択して効果的に焼灼することが可能になる。
【００１４】
請求項２の発明では、内筒シャフトが挿通する外バルーンのシャフト接続口を結ぶ直線を、外バルーンの中心線より一側にずらすことで、その一側に標的組織に対向する部分的な密着部を容易に形成できると共に、外バルーンの中心線に対して、密着部と反対側にある外バルーンと内バルーンとの間に、内バルーンの熱伝導を遮断する空間を広く確保できる。
【００１５】
請求項３の発明では、内筒シャフトに対して外バルーンと内バルーンを同一の中心線上に配置できると共に、内バルーンと外バルーンの形状とカテーテルシャフト上の設置部位を変えることで、密着部を容易に形成できる。
【００１６】
請求項４の発明では、外バルーンと内バルーンを拡張させたときに、管腔臓器からの押圧力で外バルーンや内バルーンが容易に弾性変形する。そのため、拡張した外バルーンを所定の位置に保持することができ、また標的組織を密着部に確実に押し当てることができる。また、外バルーンと内バルーンを耐熱性レジンとすることにより、内バルーンからの熱エネルギーで、外バルーンや内バルーンが熱変形するなどの不具合を回避できる。さらに、外バルーンと内バルーンを様々な回転体形状とすることができる。
【００１７】
請求項５の発明では、内バルーンと外バルーンの接着した部分から、ガスや充填液が漏れるのを防止できる。
【００１８】
請求項６の発明では、外バルーンと内バルーンを部分的に溶融させることで、この部分からのガスや充填液の漏れを防止できる。
【図面の簡単な説明】
【００１９】
【図１】本発明の第１実施例におけるバルーンカテーテルの全体構成と、その使用状態を示す説明図である。
【図２】同上、図１のＡ−Ａ線断面図である。
【図３】本発明の第２実施例におけるバルーンカテーテルの要部構成と、その使用状態を示す説明図である。
【図４】本発明の第３実施例におけるバルーンカテーテルの要部構成と、その使用状態を示す説明図である。
【図５】本発明の第４実施例におけるバルーンカテーテルの要部構成と、その使用状態を示す説明図である。
【発明を実施するための形態】
【００２０】
以下、本発明で提案するバルーンカテーテルについて、添付した図面を参照しながら詳細に説明する。
【００２１】
［第１実施例］
図１および図２は、本発明の第１実施例におけるバルーンカテーテルを示している。これらの各図において、１は管腔臓器内に挿入可能な柔軟性に富む筒状のカテーテルシャフトであって、このカテーテルシャフト１は、互いに前後方向にスライド可能な外筒シャフト２と、中筒シャフト３と、内筒シャフト４とにより構成される。外筒シャフト２の先端部２Ａと、内筒シャフト４の先端部４Ａ近傍との間には、外部に露出する外表面を有する外バルーン５が設けられ、中筒シャフト３の先端部３Ａと、内筒シャフト４の先端部４Ａ近傍との間には、外バルーン５に外表面が囲まれた内バルーン６が設けられる。これら二重の外バルーン５と内バルーン６とにより、カテーテルシャフト１の先端側でバルーン内バルーン構造のバルーン部７が装着される。
【００２２】
外バルーン５の内表面の内バルーン６の外表面との間の内部空間は、低熱伝導性ガス（空気または炭酸ガス）の充填部１１として形成される。また、内バルーン６で囲まれた内部空間は、前記充填部１１とは隔離した電解質溶液の充填部１２として形成される。充填部１１に気体を充填投入することにより、外バルーン５は略球形に膨らみ、充填部１２に液体を充填投入することにより、内バルーン６が略球形に膨らむ構成となっている。
【００２３】
外バルーン５の前側の基端側と後側の先端側には、内筒シャフト４を挿通するシャフト接続口５Ａ，５Ｂがそれぞれ設けられ、内バルーン６の前側の基端側と後側の先端側にも、内筒シャフト４を挿通するシャフト接続口６Ａ，６Ｂがそれぞれ設けられる。外バルーン５のシャフト接続口５Ａは、前記外筒シャフト２の先端部２Ａに臨んでおり、内バルーン６のシャフト接続口６Ａは、前記中筒シャフト３の先端部３Ａに臨んでいる。内筒シャフト４の先端部４Ａは、外バルーン５の先端側にあるシャフト接続口５Ｂと、内バルーン６の先端側にあるシャフト接続口６Ｂで固定され、これにより外筒シャフト２と中筒シャフト３に対して、内筒シャフト４が軸方向に沿ってスライドできる構成になっている。
【００２４】
本実施例のバルーン部７は、内バルーン６のシャフト接続口６Ａ，６Ｂを結ぶ直線が、内バルーン６の回転軸となる中心線に一致して設けられ、外バルーン５のシャフト接続口５Ａ，５Ｂを結ぶ直線が、外バルーン５の回転軸となる中心線より偏移するように設けられている。ここで、内バルーン６のシャフト接続口６Ａ，６Ｂを結ぶ直線と、外バルーン５のシャフト接続口５Ａ，５Ｂを結ぶ直線は、何れも内筒シャフト４の軸線に一致するので、内バルーン６の中心に内筒シャフト４が配置される一方で、外バルーン５の中心より一側に偏って、内筒シャフト４が配置されることになる。そして、外バルーン５と内バルーン６を拡張した状態で、管腔内壁に接触するバルーン部７の一側に偏った部分で、何れも拡張した外バルーン５と内バルーン６とを部分的に密着可能にする密着部１４が形成される。
【００２５】
バルーン部７の内部において、内バルーン６の中心部には、内バルーン６の内部を加熱する電極としての高周波通電用電極１５が、内筒シャフト４にコイル状に巻回されて設けられている。高周波通電用電極１５は単極構造であって、カテーテルシャフト１の外部に設けられた図示しない対極板との間で高周波通電を行なうように構成されている。そして、高周波通電することによって、高周波通電用電極１５が発熱するようになっている。なお、高周波通電用電極１５を双極構造として、両極間にて高周波通電を行なうように構成してもよい。
【００２６】
また、バルーン部７の内部において、内筒シャフト４の基端部側には、高周波通電用電極１５に接して高周波通電用電極１５の温度を検知するための温度センサー１６が固定されている。なお、本実施例では図示しないが、当該温度センサー１６の他に、バルーン部７の内部温度を検知する別な温度センサーを、内筒シャフト４の先端部４Ａ近傍に固定してもよい。こうした別な温度センサーの詳細については、本願出願人による国際出願公開第２０１０／０７０７６６号を参照されたい。
【００２７】
外筒シャフト２と中筒シャフト３との間には、外バルーン５と内バルーン６との間の充填部１１に通じて、この充填部１１に低熱伝導性ガスを送る送気路２１が形成される。これとは別に、中筒シャフト３と内筒シャフト４との間には、内バルーン６の内部に形成した充填部１２に通じて、この充填部に電解質溶液を送ると共に振動波を伝える送液路２２が形成される。２３は、バルーン部７を標的部位に誘導するためのガイドワイアーであり、このガイドワイアー２３は、内筒シャフト４を挿通して設けられている。
【００２８】
カテーテルシャフト１の外部には、高周波通電用電極１５に電力である高周波エネルギーを供給して、内バルーン６を加温する高周波発生器２５が設けられている。この高周波発生装置２５は、温度センサー１６からの検知信号により、高周波通電用電極１５ひいては内バルーン６の内部温度を測定し、その温度を表示する温度計２６を備えている。高周波発生装置２５は、温度計２６で測定された温度情報を逐次取り込んで、高周波通電用電極１５に供給する高周波電流のエネルギーを決定する構成となっている。また、このような構成を実現するために、高周波通電用電極１５と高周波発生装置２５は、リード線２７により電気的に接続され、温度センサー１６と温度計２６は、別なリード線２８により電気的に接続される。そして、内筒シャフト４の軸方向全長にわたり、リード線２７，２８は内筒シャフト４に沿って固定されている。
【００２９】
その他に、カテーテルシャフト１の外部には、送気路２１を介して充填部１１に気体を供給するガス注入器としてのシリンジ３１と、送液路２２を介して充填部１２に液体を供給する液体注入器としてのシリンジ３２と、送液路２２を通じて充填部１２に非対称の振動波Ｗを与えて、内バルーン６の内部に定常的に渦Ｓを発生させる振動発生器３３がそれぞれ設けられている。そして、シリンジ３１によって充填部１１に供給される気体の圧力を変化させることにより、外バルーン５の直径が変化し、シリンジ３２によって充填部１２に供給される液体の圧力を変化させることにより、内バルーン６の直径が変化するように構成されている。また、渦Ｓによって、内バルーン６の内部の液体が振動攪拌されて、内バルーン６の内部の温度が均一に保たれるようになっている。
【００３０】
また３５は、管腔内におけるバルーン部７の位置を目視で確認するための内視鏡である。内視鏡３５は周知のように、光学レンズを先端に装着した可撓管により構成され、カテーテルシャフト１の外部に設置した表示モニター（図示せず）により、管腔内を目視観察できるようになっている。
【００３１】
なお、本実施例において、内バルーン６の内部を加熱するために、内筒シャフト４の先端部４Ａ近傍に固定された高周波通電用電極１５を用いているが、内バルーン６の内部を加熱できれば、特定のものに限定されない。例えば、高周波通電用電極１５と高周波発生装置２５の代わりに、超音波発熱体と超音波発生装置、レーザー発熱体とレーザー発生装置、ダイオード発熱体とダイオード電源供給装置、ニムロム線発熱体とニクロム線電源供給装置の何れかを用いることができる。
【００３２】
また、外バルーン５と内バルーン６は、何れも内バルーン６の内部を加熱する際に、熱変形などを起こさずに耐え得る耐熱性レジン（樹脂）で構成される。外バルーン５と内バルーン６の形状は、図示したような短軸と長軸が等しい球形の他に、例えば短軸を回転軸とした扁球や、長軸を回転軸とした長球や、俵型などの各種回転体とすることができるが、どのような形状であっても、管腔内壁に密着した場合に容易に変形する弾性部材で形成される。
【００３３】
外バルーン５と内バルーン６の一部は、接着材３７により接着される。具体的には、外バルーン５のシャフト接続口５Ｂと、内バルーン６のシャフト接続口６Ｂが、内筒シャフト４の先端部４Ａと共に接着材３７で接着され、この部分から気体や液体が漏れるのを防いでいる。代わりに、外バルーン５と内バルーン６の一部を、溶融により接合させてもよい。こうすれば、わざわざ接着剤３７を塗布しなくても、外バルーン５と内バルーン６を部分的に溶融させることで、この部分からの気体や液体の漏れを防止できる。
【００３４】
つぎに、本実施例におけるバルーンカテーテルの使用方法について説明する。図１および図２は、直腸癌の治療に適用した例を示している。
【００３５】
はじめに、カテーテル内腔、すなわち充填部１１およびこれに連通する送気路２１と、充填部１２およびこれに連通する送液路２２のエアー抜きを行なう。また、外筒シャフト２の先端部２Ａおよび中筒シャフト３の先端部３Ａと、内筒シャフト４の先端部４Ａとの間の距離が最大になるように、外筒シャフト２および中筒シャフト３と、内筒シャフト４とを相互にスライドさせた状態で、バルーン部７を収縮させる。
【００３６】
そして、直腸造影を行い、直腸の走行と癌病変部Ｃの位置を把握したら、先端ループ型のガイドワイアー２３を直腸内に挿入し、このガイドワイアー２３を介して、予め収縮させストレッチされたバルーン部７を、可撓性のカテーテルシャフト１と共に直腸内に挿入する。それと共に、直腸内に挿入された内視鏡３５からの画像を、図示しない表示モニターで観察しながら、バルーン部７を腸管内の標的部位まですすめたら、ストレッチを解除してシリンジ３１を動作させ、このシリンジ３１から送気路２１を通じて外バルーン５内の充填部１１にエアー（空気）を注入して、外バルーン５を半分ほど拡張する。
【００３７】
次に、別なシリンジ３２を動作させ、シリンジ３２から送液路２２を通じて内バルーン６内の充填部１２に生理食塩水とイオン系造影剤の混合充填液を注入することで、内バルーン６を十分に拡張する。この状態で、内筒シャフト４の軸線を中心にバルーン部７全体を回転させて、外バルーン５に対して一側に偏った内バルーン６を、癌病変部Ｃの方向に向かせる。外バルーン５全体が直腸内壁に密着し、充填部１１からの加圧力によって、その位置を保持するようになるまで、シリンジ３１から充填部１１にエアーを更に注入して、外バルーン５を拡張する。また、内バルーン６が外バルーン５を介在して癌病変部Ｃに強く密着するように、シリンジ３２を操作して、内バルーン６内の充填部１２への充填液量を調整する。これにより、充填部１２からの加圧力によって、外バルーン５と内バルーン６が接触する密着部１４に、標的部位となる癌病変部Ｃが強く密着するようになる。
【００３８】
こうして、バルーン部７の位置決めと、充填部１１へのエアー注入量および充填部１２への液体注入量を調整し終えたら、内バルーン６内の中心温度を温度計２６のモニターで見ながら、高周波発生装置２５から高周波通電用電極１５への高周波通電を開始する。同時に振動発生器３３を作動させ、送液路２２を通じて振動波Ｗを送り込み、重力に対して上下方向の渦Ｓを内バルーン６の内部に発生させて、内バルーン６の内部の液体を撹拌する。
【００３９】
高周波発生装置２５は、温度センサー１６からの検知信号に基づき、温度計２６で測定した内バルーン６内の内部温度が、操作部（図示せず）により設定した温度となるようなエネルギーの高周波電流を、リード線２７を通じて高周波通電用電極１５に供給する。また、このときの高周波通電用電極１５への高周波電流の通電時間は、操作部により設定した時間に一致する。こうして、高周波発生装置２５により内バルーン６内の中心温度と、高周波通電用電極１５の通電時間を調整しながら、バルーン部７の密着部１４に接触する癌病変部Ｃを加圧焼灼する。
【００４０】
具体的には、内バルーン６内の中心温度を７０度に保ち、術前診断の癌病変部Ｃの深度に応じた時間で、高周波通電用電極１５に対する高周波通電を行なう。通常、癌病変部Ｃの深度が１ｍｍから２ｍｍであれば、高周波通電用電極１５への通電時間を１分から２分とし、癌病変部Ｃの深度が２．５ｍｍから３ｍｍであれば、高周波通電用電極１５への通電時間を３分から４分とする。内バルーン６内の中心温度を７０度（この場合、接触温度は６０度〜６５度）とし、高周波通電用電極１５への通電時間を１分から２分にした場合、筋層は深く焼灼されないので広範囲に焼灼しても狭窄や嚥下障害はきたさないが、３分から４分の通電時間では、筋層が深く焼灼されるので、広い範囲を焼灼すると機能障害をきたすので注意を要する。一般に管腔全周の３分の１以内までの焼灼であれば、機能障害はきたさないと言われている。内視鏡的粘膜下切除術は筋層に達する病変には適応されないが、本実施例による上記方法であれば、転移こそなければ、病変が筋層に達していても治療可能である。６０度前後の温度では、全層性に凝固壊死となっても解剖学的構造が保たれている限り、焼灼範囲が狭ければ、内膜のすべて筋層の相当な部分が再生する。この方法は、同様に直腸以外の大腸，小腸や食道の病変に対しても適応できる。
【００４１】
［第２実施例］
図３は、本発明の第２実施例におけるバルーンカテーテルを示している。本実施例では、内バルーン６のシャフト接続口６Ａ，６Ｂを結ぶ直線が、略球形に膨らむ内バルーン６の中心線に一致しているだけでなく、外バルーン５のシャフト接続口５Ａ，５Ｂを結ぶ直線も、略瓢箪型若しくは略俵型に膨らむ外バルーン５の中心線に一致して設けられている。そして、外バルーン５と内バルーン６を拡張した状態で、管腔内壁に接触するバルーン部７の放射方向の周回部分で、外バルーン５と内バルーン６とを部分的に密着可能にする密着部１４が形成される。
【００４２】
外バルーン５と内バルーン６は、本実施例のように異なる形状であってもよく、また外バルーン５と内バルーン６を拡張した状態で、管腔内壁に外バルーン５が押し付けられたときに、その管腔内壁に接触するバルーン部７の放射方向の周回部分で、管腔内壁からの押圧力で外バルーン５が弾性変形することにより、密着部１４が形成される構成であってもよい。それ以外のバルーンカテーテルとしての構成は、第１実施例と共通している。
【００４３】
つぎに、本実施例におけるバルーンカテーテルの使用方法について説明する。図３は、肺静脈アイソレーションに適用した例を示している。
【００４４】
心房細動治療には肺静脈アイソレーションが有効であるが、肺静脈内をバルーンカテーテルで強く焼灼すると、肺静脈狭窄の合併症をおこす。そこで、図３に示すようなバルーン内バルーン構造のバルーン部７を用いる。
【００４５】
ここでも先ず、第１実施例と同様にエアー抜きとバルーン部７の収縮を行なった後、外筒シャフト２の外周に設けられたガイドシース（図示せず）と、ガイドワイアー２３を用いて、カテーテルシャフト１と共にバルーン部７を大腿静脈より肺静脈内に挿入し、シリンジ３１から送気路２１を通じて外バルーン５内の充填部１１に炭酸ガスを注入して、外バルーン５を炭酸ガスで拡張する。次に、シリンジ３２から送液路２２を通じて内バルーン６内の充填部１２に電解質溶液を注入することで、内バルーン６を電解質溶液で拡張し、外バルーン５との密着部１４で肺静脈口周囲部Ｐに押し付ける。
【００４６】
高周波発生装置２５から高周波通電用電極１５への高周波通電により、外バルーン５を介して内バルーン６と接触する肺静脈口周囲Ｐが焼灼されるが、肺静脈内は外バルーン５内の充填部１１に充填された炭酸ガスにより、内バルーン６内からの熱伝導がブロックされて焼灼されず、結果的に肺静脈狭窄を起こさずに肺静脈の電気的隔離を達成できる。また、内バルーン６内の熱エネルギーも、外バルーン５近位の炭酸ガスでブロックされて左心房内血流によって奪われないため、肺静脈口周囲部Ｐに対する効率のよい焼灼が可能となる。
【００４７】
［第３実施例］
図４は、本発明の第３実施例におけるバルーンカテーテルを示している。本実施例におけるバルーン部７は、第１実施例と同様に、内バルーン６のシャフト接続口６Ａ，６Ｂを結ぶ直線が、内バルーン６の中心線に一致して設けられ、外バルーン５のシャフト接続口５Ａ，５Ｂを結ぶ直線が、外バルーン５の中心線より偏移して設けられている。但し、第１実施例では外バルーン５が内バルーン６と同じく球形であったのに対し、本実施例では内バルーン６が球形であるものの、外バルーン５は扁球状に形成されている。その他の構成は、第１実施例と共通している。
【００４８】
つぎに、本実施例におけるバルーンカテーテルの使用方法について説明する。図４は、前立腺中葉肥大の治療に適用した例を示している。
【００４９】
これまでのマイクロ波やラジオ波を用いた前立腺肥大治療用デバイスでは、前立腺側葉の焼灼はできても前立腺中葉の焼灼はできなかった。そこで、図４に示すようなバルーン内バルーン構造のバルーン部７を用いる。
【００５０】
先ず、第１実施例と同様にエアー抜きとバルーン部７の収縮を行なった後、先端ループ型のガイドワイアー２３を尿道内に挿入し、このガイドワイアー２３を介して、予め収縮させたバルーン部７を、カテーテルシャフト１と共に尿道内に挿入する。バルーン部７を膀胱内にまですすめたら、シリンジ３１から送気路２１を通じて外バルーン５内の充填部１１にエアー（空気）を注入して、外バルーン５を拡張し、シリンジ３２から送液路２２を通じて内バルーン６内の充填部１２に充填剤を注入して、内バルーン６を拡張する。そして、高周波発生装置２５から高周波通電用電極１５に高周波電流を供給することにより、外バルーン５で膀胱壁を保護しながら、内バルーン６で前立腺中葉の肥大部Ｅを選択的に焼灼することが可能となる。また、尿道内に本バルーンカテーテルを挿入し、バルーン部７を尿道内に留置した状態で加圧加温すると、前立腺側葉も片方ずつ焼灼可能であるので、無駄な焼灼は控えることができる。
【００５１】
［第４実施例］
図５は、本発明の第４実施例におけるバルーンカテーテルを示している。本実施例におけるバルーン部７は、第１実施例と同様に、内バルーン６のシャフト接続口６Ａ，６Ｂを結ぶ直線が、内バルーン６の中心線と一致して設けられ、外バルーン５のシャフト接続口５Ａ，５Ｂを結ぶ直線が、外バルーン５の中心線より偏移するように設けられている。但し、外バルーン５と内バルーン６の形状は、何れも長球形である。その他の構成は、第１実施例と共通している。
【００５２】
つぎに、本実施例におけるバルーンカテーテルの使用方法について説明する。図５は、辺在性アテロームプラークの治療に適用した例を示している。
【００５３】
アテロームプラークが辺在性に存在する場合、図５に示すようなバルーン内バルーン構造のバルーン部７を使用する。これは先ず、第１実施例と同様にエアー抜きとバルーン部７の収縮を行なった後、先端ループ型のガイドワイアー２３を血管内に挿入し、このガイドワイアー２３を介して、予め収縮させたバルーン部７を、カテーテルシャフト１と共に血管内に挿入する。バルーン部７を標的組織となるアテロームプラークＰの近傍にまですすめたら、シリンジ３１から送気路２１を通じて外バルーン５内の充填部１１に炭酸ガスを注入して、外バルーン５を拡張し、シリンジ３２から送液路２２を通じて内バルーン６内の充填部１２に充填剤を注入して、内バルーン６を拡張する。
【００５４】
高周波発生装置２５から高周波通電用電極１５への高周波通電により、外バルーン５を介して内バルーン６と接触するアテロームプラークＰが焼灼されるが、正常な血管壁は焼灼されず、バルーン部７の密着部１４に接するアテロームプラークＰのみに温熱治療を加えることができる。アテロ―ムキャップの破裂はマクロファージのだす溶解酵素によると考えられているので、マクロファージを４３度（摂氏）の温熱治療にて死滅させると、アテロームプラークＰは安定化する。バルーン部７からの高周波加温により、血管マトリックス主成分のコラーゲン線維を軟化させながら、同時にバルーン部７でアテロームプラークＰを加圧すると、比較的低圧にて血管解離なく狭窄部位を拡張することもできる。
【００５５】
（本発明による効果）
これまでの高周波加温バルーンカテーテルでは、バルーン部を標的組織に選択的に密着させることが難しく、バルーン部との接触箇所を無差別に焼灼し、正常組織にも傷を付けた。これに対して、本発明で提案する高周波バルーン内バルーンアブレーションカテーテルを用いると、拡張した外バルーン５は管腔臓器内での位置を保持すると共に内バルーン６との熱伝導を遮断する一方で、内バルーン６は外バルーン５を介して選択的に標的組織（患部）に密着し、内バルーン６の熱エネルギーは外バルーン５との密着部１４を介して伝導し、標的組織だけを選択的に焼灼する効果が得られる。
【００５６】
また、内バルーン６と外バルーン５は共に標的組織を加圧しながら焼灼するので、血流の豊富な癌組織（例えば、第１実施例の癌病変部Ｃ）などであっても、血流を遮断して其のクーリング効果を減じつつ加温するので、充分な焼灼効果が得られる。さらに、正常組織は低熱伝導性ガスで満たされた外バルーン５により熱焼灼から保護されているので、合併症（Collateral Damage：コラテラルダメージ）が発生しない。
【００５７】
このように、本発明は従来の高周波バルーンアブレーションカテーテルが単一バルーンであったのに対して、バルーン内バルーン構造のバルーン部７を採用している。高周波加温バルーンは内バルーン６として、低熱電導性ガスを充填した外バルーン５の内部に配置され、内バルーン６が外バルーン５を介して標的組織が密着するとき、密着面での熱伝導により標的組織を焼灼するものである。これにより正常組織を傷つけず、選択的に標的組織だけを治療することができるようになる。
【００５８】
以上のように、本発明のバルーンカテーテルは、上記第１実施例〜第４実施例に共通して、互いにスライド可能な外筒シャフト２，中筒シャフト３および内筒シャフト４により構成されるカテーテルシャフト１と、外筒シャフト２の先端部２Ａと内筒シャフト４の先端部４Ａとの間に設置される拡張可能な外バルーン５と、中筒シャフト３の先端部３Ａと内筒シャフト４の先端部４Ａとの間に設置され、外バルーン５の内部に収容される拡張可能な内バルーン６と、内バルーン６の内部に設置される高周波通電用電極１５および温度センサー１６と、中筒シャフト３と内筒シャフト４との間に形成され、内バルーン６の内部に通じる送液路２２と、外筒シャフト２と中筒シャフト３との間に形成され、外バルーン５と内バルーン６との間に通じる送気路２１と、温度センサー１６のリード線２８を介して内バルーン６の内部温度を測定しながら、電極に電力を供給する高周波発生器としての高周波発生装置２５と、送液路２２を介して内バルーン６の内部に充填液を送るシリンジ３２と、送液路２２を介して内バルーン６の内部に振動波を伝える振動発生器３３と、送気路２１を介して外バルーン５と内バルーン６との間にガスを送るシリンジ３１とを備え、拡張した内バルーン６が拡張した外バルーン５と部分的に密着可能な密着部１４を、外バルーン５と内バルーン６からなるバルーン部７に形成している。
【００５９】
この場合、低熱伝導性の気体で満たされる外バルーン５と、外バルーン５の内側にあって、高周波通電用電極１５に電力を供給することで、その内部に満たされた充填液が高周波加温される内バルーン６とにより、拡張した外バルーン５は管腔臓器内での位置を保持すると共に内バルーン６の熱伝導を遮断し、内バルーン６の熱エネルギーは外バルーン５との密着部１４を介して標的組織を選択的に焼灼する。これにより、非標的組織への熱伝導を確実に遮断して、標的組織のみを選択して効果的に焼灼することが可能になる。
【００６０】
また、上記第１実施例，第３実施例および第４実施例において、内バルーン６の先端側の内筒シャフト接続口に相当するシャフト接続口６Ｂと、基端側の中筒シャフト接続口に相当するシャフト接続口６Ａは、これらのシャフト接続口６Ａ，６Ｂを結ぶ直線が、内バルーン６の回転軸となる中心線に一致して設けられるが、外バルーン５の先端側の内筒シャフト接続口に相当するシャフト接続口５Ｂと、基端側の外筒シャフト接続口に相当するシャフト接続口５Ａは、これらのシャフト接続口５Ａ，５Ｂを結ぶ直線が、外バルーン５の回転軸となる中心線より一側に偏移して設けられており、その偏移した一側に前記密着部１４を形成している。
【００６１】
このように、内筒シャフト４が挿通する外バルーン５のシャフト接続口５Ａ，５Ｂを結ぶ直線を、外バルーン５の中心線より一側にずらすことで、その一側に標的組織に対向する部分的な密着部１４を容易に形成できると共に、外バルーン５の中心線に対して、密着部１４と反対側にある外バルーン５と内バルーン６との間に、内バルーン６の熱伝導を遮断する空間（充填部１１）を広く確保できる。
【００６２】
代わりに、別な第２実施例では、内バルーン６のシャフト接続口６Ａ，６Ｂと、外バルーン５のシャフト接続口５Ａ，５Ｂは、いずれもシャフト接続口５Ａ，５Ｂとシャフト接続口６Ａ，６Ｂを結ぶ直線が外バルーン５と内バルーン６の中心線に一致するように設けられ、内バルーン６と外バルーン５の形状と、カテーテルシャフト１上の外バルーン５の設置部位を変えることで、密着部１４が形成される
この場合、内筒シャフト４に対して外バルーン５と内バルーン６を同一の中心線上に配置できると共に、内バルーン６と外バルーン５の形状とカテーテルシャフト１上の設置部位を変えることで、密着部１４を容易に形成できる。。
【００６３】
また第２実施例では、外バルーン５と内バルーン６が異なる形状を有し、この形状の違いにより密着部１４を形成してもよい。
【００６４】
この場合、外バルーン５と内バルーン６の形状の違いを利用して、任意の位置に密着部１４を形成することができる。また、この密着部１４以外の位置で、外バルーン５と内バルーン６との間に、内バルーン６の熱伝導を遮断する空間（充填部１１）を広く確保できる。
【００６５】
さらに第２実施例では、密着部１４よりも先端側に、外バルーン５と内バルーン６との間のガス空間である充填部１１が閉塞して形成される。このようにすると、管腔臓器内で血流のような流れを先端側から受けても、内バルーン６内の熱エネルギーは密着部１４よりも先端側にあるガス空間でブロックされて奪われないため、標的組織に対する効率のよい焼灼が可能となる。
【００６６】
また、上記第１実施例〜第４実施例に共通して、外バルーン５および内バルーン６は、何れも弾性に富む耐熱性レジンで構成され、回転体形状に形成される。
【００６７】
こうすると、外バルーン５と内バルーン６を拡張させたときに、管腔臓器からの押圧力で外バルーン５や内バルーン６が容易に弾性変形する。そのため、拡張した外バルーン５を所定の位置に保持することができ、また標的組織を密着部１４に確実に押し当てることができる。また、外バルーン５と内バルーン６を耐熱性レジンとすることにより、内バルーン６からの熱エネルギーで、外バルーン５や内バルーン６が熱変形するなどの不具合を回避できる。さらに、外バルーン５と内バルーン６を様々な回転体形状とすることができる。
【００６８】
また、上記第１実施例や第３実施例では、外バルーン５と内バルーン６の一部を接着剤３７で接着する構成を採用している。
【００６９】
このようにすると、外バルーン５と内バルーン６の接着した部分から、ガスや充填液が漏れるのを防止できる。
【００７０】
代わりに、外バルーン５と内バルーン６の一部を溶融により接合する構成としてもよい。
【００７１】
外バルーン５と内バルーン６を部分的に溶融させることで、この部分からのガスや充填液の漏れを防止できる。
【００７２】
なお本発明は、本実施例に限定されるものではなく、本発明の要旨の範囲内で種々の変形実施が可能である。例えば、外バルーン５や内バルーン６の形状は、上記各実施例で示したものに限定されず、治療部位に応じた種々の形状に形成してもよい。
【符号の説明】
【００７３】
１  カテーテルシャフト
２  外筒シャフト
３  中筒シャフト
４  内筒シャフト
５  外バルーン
５Ａ  シャフト接続口（外筒シャフト接続口）
５Ｂ  シャフト接続口（内筒シャフト接続口）
６  内バルーン
６Ａ  シャフト接続口（中筒シャフト接続口）
６Ｂ  シャフト接続口（内筒シャフト接続口）
１５  高周波通電用電極（電極）
１６  温度センサー
２１  送気路
２２  送液路
２５  高周波発生装置（高周波発生器）
２８  リード線
３１  シリンジ（ガス注入器）
３２  シリンジ（液体注入器）
３３  振動発生器
３７  接着剤
【図１】
2013132364.tif 000003
【図２】
2013132364.tif 000004
【図３】
2013132364.tif 000005
【図４】
2013132364.tif 000006
【図５】
2013132364.tif 000007